(57)【要約】  本発明は、同期情報に対する出力信号の同期を提供するための装置および方法に関する。同期は、信号生成手段、例えば位相ロックループ装置（３０）または直接デジタル合成装置をその正確な周波数へと制御する補正制御情報を、未補正の基準周波数を正しいすなわち正確な基準周波数に変換する周波数変換ユニット（９０）に結合することを提供することにより達成される。これにより、信号生成手段（３０）向けの未補正の基準周波数を、どのような周波数制御のための手段も持たない簡素な水晶発振器（２）によって供給することができる。信号生成手段（３０）および周波数変換ユニット（９０）の設定は、ユーザ装置がその基準周波数を、通信ネットワークによって発せられた同期情報に対して同期することを可能にする、所定のシーケンスで行うことができる。
2008547345.tif 000002
【特許請求の範囲】
【請求項１】
同期情報に対する出力信号の同期を提供するための同期装置であって、
ａ）前記同期情報を処理するために使用される基準周波数を、補正された基準周波数に変換するための周波数変換手段と、
ｂ）前記同期情報に対する、決定された前記同期装置の同期誤差に基づき、補正制御情報を生成するための制御手段と、を備え、
ｃ）前記制御手段は、前記補正制御情報を、前記周波数変換手段に供給し、前記基準周波数を、前記補正制御情報に基づき補正させるように構成されている、
ことを特徴とする同期装置。
【請求項２】
前記同期誤差は、前記出力信号と前記同期情報との間の同期誤差に基づき決定される、ことを特徴とする請求項１に記載の装置。
【請求項３】
前記同期誤差は、前記基準周波数と前記同期情報との間の同期誤差に基づき決定される、  ことを特徴とする請求項１に記載の装置。
【請求項４】
前記基準周波数が供給され、変換信号を生成する信号生成手段をさらに備え、前記同期誤差は、前記変換信号と前記同期情報との間の同期誤差に基づき決定される、ことを特徴とする請求項１に記載の装置。
【請求項５】
前記信号生成手段は、チャンネル制御情報によりプログラムされて、所定の公称分割比を設定し、
前記補正制御情報は、前記信号生成手段に供給されて、前記信号生成手段のための周波数補正分割比が設定される、ことを特徴とする請求項４に記載の装置。
【請求項６】
前記信号生成手段は、位相ロックループ装置または直接デジタル合成装置を備える、ことを特徴とする請求項４または請求項５に記載の装置。
【請求項７】
前記基準周波数を生成するための基準発振器をさらに備える、ことを特徴とする請求項１乃至請求項６のいずれかに記載の装置。
【請求項８】
前記基準発振器は、制御されない固定周波数発振器である、ことを特徴とする請求項７に記載の装置。
【請求項９】
前記固定周波数発振器は、水晶発振器である、ことを特徴とする請求項８に記載の装置。
【請求項１０】
前記固定周波数発振器は、ＭＥＭＳ発振器である、ことを特徴とする請求項８に記載の装置。
【請求項１１】
前記基準周波数は、受信器のチャンネル変換信号の基準であり、前記公称分割比は、前記チャンネル信号のチャンネル周波数と公称基準周波数との比から得られる、ことを特徴とする請求項１乃至請求項１０のいずれかに記載の装置。
【請求項１２】
前記制御手段は、前記補正制御情報および前記チャンネル制御情報を設定するためのプログラミングインターフェースに接続されている、ことを特徴とする請求項５乃至請求項１１のいずれかに記載の装置。
【請求項１３】
前記補正制御情報は、受信または送信チャンネルから独立した周波数補正加数と、独立変換因数との少なくとも１つを含む、ことを特徴とする請求項１乃至請求項１２のいずれかに記載の装置。
【請求項１４】
前記周波数変換手段は、乗算手段と、分割手段との直列の組合せを備える、ことを特徴とする請求項１３に記載の装置。
【請求項１５】
前記乗算手段は、前記基準周波数を、前記補正制御情報から得られた前記周波数補正加数に基づき決定された乗算因数と、独立変換因数とにより乗算するように構成されており、
前記分割手段は、乗算された前記基準周波数を、前記独立変換因数に基づき決定された分割因数により分割するように構成されている、ことを特徴とする請求項１４に記載の装置。
【請求項１６】
前記周波数変換手段は、前記周波数変換手段の出力信号のスペクトル組成を制限するためのフィルタ手段を備える、ことを特徴とする請求項１乃至請求項１５のいずれかに記載の装置。
【請求項１７】
前記制御手段は、前記独立変換因数を設定して、前記乗算因数の整数値を得るように構成されている、ことを特徴とする請求項１３乃至請求項１６のいずれかに記載の装置。
【請求項１８】
前記制御手段は、前記独立変換因数を設定して、前記分割因数の整数値を得るように構成されている、ことを特徴とする請求項１３乃至請求項１６のいずれかに記載の装置。
【請求項１９】
前記独立変換因数は、前記装置にハードウェア組み込み（hardwired）されている、ことを特徴とする請求項１３乃至請求項１６のいずれかに記載の装置。
【請求項２０】
前記基準周波数または前記周波数変換手段の出力のいずれかを、前記同期装置の出力またはベースバンド処理ユニットに供給するためのスイッチング手段をさらに備える、ことを特徴とする請求項１乃至請求項１９のいずれかにに記載の装置。
【請求項２１】
前記出力信号は、ベースバンド処理ユニットに供給される、ことを特徴とする請求項１乃至請求項１９のいずれかに記載の装置。
【請求項２２】
前記ベースバンド処理ユニットは、周波数オフセットに基づき前記同期誤差を計算するための計算手段を備える、ことを特徴とする請求項２０または請求項２１に記載の装置。
【請求項２３】
同期情報に対する出力信号の同期を提供するための同期方法であって、
ａ）前記同期情報を処理するために使用される基準周波数を、補正された基準周波数に変換するステップと、
ｂ）前記同期情報に対する、決定された前記同期装置の同期誤差に基づき、補正制御情報を生成するステップと
ｃ）前記補正制御情報を、前記変換ステップにおいて使用し、前記基準周波数を、前記補正制御情報に基づき補正するステップと、
を備えることを特徴とする方法。
【請求項２４】
前記同期誤差は、前記出力信号と前記同期情報との間の同期誤差に基づき決定される、ことを特徴とする請求項２３に記載の方法。
【請求項２５】
前記同期誤差は、前記基準周波数と前記同期情報との間の同期誤差に基づき決定される、ことを特徴とする請求項２３に記載の方法。
【請求項２６】
前記基準周波数を、チャンネル制御情報に基づく変換信号を前記基準周波数に基づき生成する信号生成手段に供給する、先のステップと、
前記変換信号が、前記チャンネル制御情報および前記補正制御情報に基づいており、前記補正制御情報が、前記変換信号と前記同期情報の間の同期誤差に基づき決定される、後のステップと、をさらに備えることを特徴とする請求項２３に記載の方法。
【請求項２７】
前記信号生成手段は、位相ロックループ装置または直接デジタル合成装置を備え、
前記チャンネル制御情報が、前記先のステップで使用され、前記位相ロックループ装置または前記直接デジタル合成における所定の公称分割比が設定される、ことを特徴とする請求項２６に記載の方法。
【請求項２８】
前記基準周波数を、ベースバンド処理ユニットに、前記ベースバンド処理ユニットの初期動作フェーズの間に供給するステップと、
前記基準周波数が補正された後、前記出力信号を、前記ベースバンド処理ユニットに供給するステップと、をさらに備えることを特徴とする請求項２２乃至請求項２７のいずれかに記載の方法。
【請求項２９】
請求項１乃至請求項２２のいずれかに記載の同期装置を備えることを特徴とする受信デバイス。
【請求項３０】
請求項１乃至請求項２２のいずれかに記載の同期装置を備えることを特徴とするトランシーバデバイス。
【請求項３１】
請求項１乃至請求項２２のいずれかに記載の同期装置を備えることを特徴とするワイヤレス電子デバイス。
【請求項３２】
請求項２３乃至請求項２８のいずれかに記載の同期方法が使用されることを特徴とする受信デバイス。
【請求項３３】
請求項２３乃至請求項２８のいずれかに記載の同期方法が使用されることを特徴とするトランシーバデバイス。
【請求項３４】
請求項２３乃至請求項２８のいずれかに記載の同期方法が使用されることを特徴とするワイヤレス電子デバイス。
【発明の詳細な説明】
【技術分野】
【０００１】
本発明は、例えば移動体端末における基準周波数の同期に使用される、基準信号に対する出力信号の同期を提供するための方法および装置に関する。
【背景技術】
【０００２】
無線通信デバイスは、正しく機能するために、安定した動作周波数の生成を必要とする。典型的には、安定性は、基準発振器として水晶発振器を使用し、基準周波数を供給することによって得られてきた。特に、無線端末の局部発振器は、基準周波数に位相ロックされている。しかし、水晶発振器は、無線端末の周波数安定の要件を満たすために十分に一定した周波数を、単独で供給することはできない。特に、水晶発振器の出力周波数は、温度に応じて変化する。加えて、基準発振器の制御パスにおける非直線性が、周波数ずれを発生する可能性がある。
【０００３】
また、無線端末は、無線トランシーバの動作周波数を相手局（例えば基地局）チャンネル周波数に対して正確に揃える（center）するために、周波数補正を必要とするであろう。また、周波数ずれが、端末の移動により生じるドップラーシフトに起因して、または相手局（例えば基地局）での周波数オフセットに起因して、発生し得る。周波数補正は、自動周波数制御（ＡＦＣ：automatic frequency control）機構を用いて達成され、この機構は、無線トランシーバの動作周波数と、相手局（例えば基地局）チャンネル周波数との間の誤差を決定し、補正信号を水晶発振器に印加して基準周波数を変更し、無線端末の周波数を相手局（例えば基地局）に対して同期させる。周波数誤差は、典型的にはベースバンド回路で得られ、この回路では、誤差はデジタル表現に基づいている。デジタル−アナログ変換器（ＤＡＣ：Digital-to-Analog-Converter）を用いて、アナログ制御信号が得られる。このアナログ制御信号は、バラクターダイオードに印加され、バラクターダイオードは、印加された電圧に依存してそのキャパシタンスを変化させ、よって、共振回路を形成するキャパシタンスが変化した際に、水晶発振器の周波数が変化する。いくつかの抵抗器およびキャパシタからなる広範囲な減結合回路網を用いて、適切な、特に低雑音の性能が得られる。
【発明の開示】
【発明が解決しようとする課題】
【０００４】
この従来技術の解決策は、追加の費用および空間、ならびに低下した信頼性という不利益を有する。
【０００５】
その上、このアナログ制御回路は、一般に、直線的制御特性を持たない。
【０００６】
国際特許出願第０３／０７９５４８号の文献では、未補正の基準発振器の基準周波数に基づき局部発振器周波数を生成する分数Ｎ−ＰＬＬ（phase lock loop）回路の分割比を変更することによって、未補正の基準発振器に基づき正確な局部発振器周波数を生成する方法が提案されている。しかし、この解決策では、例えばプロトコルタイミングの処理や、含まれるデジタル−アナログ変換器（ＤＡＣ）およびアナログ−デジタル変換器（ＡＤＣ）のサンプリングに必要とされる正確な基準周波数を、移動体デバイスにおいて提供することができない。
【０００７】
さらに、米国特許第５８５６７６６号の文献では、正確な局部発振器周波数が、未補正の基準周波数に基づく装置によって、両方を、局部発振器の初期周波数誤差を含む情報が供給される分数Ｎ−ＰＬＬに結合し、分数分割比を適合させて、局部発振器の周波数誤差を最小化することにより得られている。さらに、混合または処理周波数が、正確な局部発振器に基づくさらなる整数ＰＬＬを設けることによって得られている。この解決策は、上述したような、正確な基準周波数自体は生成されないという、同様の問題をもたらす。
【０００８】
よって、既知の周波数追跡機構は、対応する制御回路を必要とし、これは、費用と空間を伴い、あるいは、正確な基準周波数を有するどのようなベースバンドまたはどのような出力も供給しない。
【０００９】
本発明の目的は、基準周波数発振器用のどのような追加の追跡または制御回路も必要とせずに、正確な基準周波数を生成することができる、改善された同期方式、方法および装置を提供することである。
【課題を解決するための手段】
【００１０】
この目的は、請求項１に記載の同期装置および請求項２１に記載の同期方法によって達成される。
【００１１】
よって、基準周波数の同期は、基準周波数をその正確な周波数値に変換するために使用される周波数誤差情報を、周波数変換ユニット向けにも、使用することによって達成され、周波数変換ユニットは、この情報に基づき、基準発振器の未補正の基準周波数を正確な基準周波数に変換する。周波数誤差から得られた補正制御情報によって制御される周波数変換ユニットを設けることにより、周波数変換ユニットを用いて、出力信号の周波数調整または追跡機能を提供することができ、よって、基準発振器自体の周波数は、変更する必要がない。その結果、周波数調整および／または追跡のための外部制御手段は、設ける必要がない。
【００１２】
その上、周波数変換ユニットを、どのような信号生成手段、例えば位相ロックループ装置、からも独立して設けることが可能なことにより、厳密な直線的制御特性が得られる。位相ロックループ装置の電圧制御発振器ＶＣＯに導入されるどのような変調も、出力信号である正確な基準周波数への影響を持たず、それは、装置が減結合を実現するからである。
【００１３】
加えて、補正制御情報は、実際に使用される無線チャンネルから独立しており、よって、新しいチャンネルに切り替えた後でも、高速な同期を得ることができる。同じ周波数分割器オフセットは、受信チャンネルの他に、送信チャンネルにも適用可能である。そして、正確な基準周波数は、送信セクションが提供される場合に、送信信号を生成するための基準となる。
【００１４】
正確な基準周波数は、ＰＬＬ装置の出力信号からは得られないため、ＰＬＬ装置は、正確な基準周波数が必要とされる場合に、アクティブである必要はない。これは、スタンバイ時間を増加させる減少した電流消費を達成できる、という点で有利である。
【００１５】
同期誤差は、出力信号と、信号生成手段によって生成された変換信号との間の同期誤差に基づき決定してもよい。あるいは、同期誤差は、出力信号と同期情報との間の同期誤差に基づき決定してもよい。
【００１６】
未補正の基準周波数を生成するために使用される基準発振器は、水晶またはＭＥＭ（Micro-Electro-Mechanical System）発振器であってもよく、制御可能でない固定周波数発振器であってもよい。所定の公称分割比を、対応する通信システムによって定義される公称チャンネル周波数と、公称基準周波数との比から得ることができる。
【００１７】
さらに、制御手段は、チャンネル制御情報および補正制御情報を設定するためのプログラミングインターフェースに接続してもよい。周波数の変更は、よって、プログラミングインターフェースを用いて、位相ロックループ装置および周波数変換手段を再プログラミングすることにより達成できる。
【００１８】
補正制御情報は、送信チャンネルから独立した周波数補正加数と、送信チャンネルから独立した独立変換因数とを含んでもよい。次いで、周波数変換手段は、基準周波数を、周波数補正加数に基づき決定された乗算因数と、変換因数とにより乗算するための乗算手段と、乗算された基準周波数を、独立変換因数に基づき決定された分割因数により分割するための分割手段との直列の組合せを備えてもよい。加えて、周波数変換手段は、分割手段の出力のスペクトル組成を制限するためのフィルタ手段を備えてもよい。これにより、周波数変換手段の出力信号のスペクトル純度を、高めることができる。
【００１９】
乗算手段は、例えば、一種の分数Ｎ−ＰＬＬ、整数ＰＬＬ、または他の種類の乗算手段であってもよい。
【００２０】
分割手段は、一種の整数分割器、分数Ｎ分割器、整数分割器、または他の種類の分割手段であってもよい。
【００２１】
制御手段は、独立変換因数を設定して、乗算因数の整数値を得るように構成してもよい。あるいは、制御手段は、独立変換因数を設定して、分割因数の整数値を得るように構成してもよい。上述のプログラミング選択肢の代替として、独立変換因数を、装置にハードウェア組み込み（hardwired）してもよく、これにより、そのプログラミングが必要とされない。
【００２２】
加えて、未補正の基準周波数または周波数変換手段の出力のいずれかを、同期装置の出力に接続するためのスイッチング手段を設けてもよい。これにより、同期手順の初期起動において、未補正の基準周波数を、スイッチング手段によって、アクティブ化および初期化のために制御ユニットに対してスイッチしてもよい。
【００２３】
例として、周波数オフセットに基づき同期誤差を計算するための計算手段を備えるベースバンド処理ユニットに、出力信号を供給してもよい。同期は、よって、ベースバンド処理ユニットでの周波数オフセットを計算し、周波数補正加数を、これに基づく次のステップ向けに、例えばプログラミングインターフェースを介して設定することにより達成することができる。
【００２４】
さらなる有利な変更は、従属請求項において定義される。
【発明を実施するための形態】
【００２５】
本発明を、これより、好適な実施形態に基づき、添付の図面を参照して説明する。
【００２６】
これより、好適な実施形態を、セルラーネットワークにより発せられた同期情報または同期信号への移動体端末の同期に基づき説明する。
【００２７】
図１は、好適な実施形態の基礎となる同期機構を示す概略ブロック図を示している。移動体端末または移動体ユーザ装置における基準周波数の同期は、位相ロックループ（ＰＬＬ：phase locked loop）回路３０の分割器８の制御情報から、周波数変換ユニット９０に対するさらなる制御情報を得ることにより達成される。ＰＬＬ回路３０には、未補正の基準発振器信号Ｂが供給される。位相ロックループ回路３０向けの、この未補正の基準発振器信号Ｂは、周波数制御の手段または回路を持たない簡素な水晶発振器２によって生成される。分割器８および周波数変換ユニット９０の設定ならびに構成は、制御ユニットまたは機構４０によって行なわれる。これは、ユーザ装置が、その生成された基準周波数ｆｒｅｆを、対応する受信ユニット５０によってセルラーネットワークから受信された周波数情報（Ｎ．ｋ）＊ｆｒｅｆすなわち周波数補正または同期情報に対して同期することを可能にする、特定のシーケンスに従うものであり、受信ユニット５０には、位相ロックループ回路３０によって生成された信号が、例えば混合または他の同期受信目的で供給されている。
【００２８】
受信ユニット５０は、デジタル受信信号ＤＲＳを生成し、この信号は、その後のユニット（図示せず）によってさらに処理される。図１に示されるように、水晶発振器２によって生成された基準発振器信号Ｂの未補正の基準周波数は、周波数誤差εを有し、周波数誤差εは、同期された出力信号Ｄにおいては、制御ユニット４０によって周波数変換ユニット９０で設定された対応する結果としての周波数変換因数により、補正されている。これにより、同期または補正された正確な基準周波数ｆｒｅｆを有する出力信号Ｄを、水晶発振器２自体のどのような調整も必要とせずに得ることができる。ここで、水晶発振器２は、固定周波数を生成する任意の適切な基準発振器で置き換えてもよいことに留意すべきである。
【００２９】
以下、上述の同期機構を、０Ｈｚの中間周波数（ＩＦ）を有するスーパーヘテロダイン（superheterodyne (superhet)）受信機である、いわゆる「ゼロＩＦレシーバ」装置に基づき、より詳細に説明する。これは、受信された高周波または無線周波数（ＲＦ）信号が、例えば対応する周波数変換回路によって、ベースバンド周波数に直接変換されることを意味する。しかし、提案された同期機構の原理は、他のレシーバアーキテクチャ、例えば非ゼロＩＦを使用する他のスーパーヘット（superhet）原理などにも適用可能であることに留意すべきである。
【００３０】
図面においては、好適な実施形態の説明に関係する接続または制御線のみを、それぞれ、対応する符号によって示し、表すものとする。
【００３１】
図２によると、ネットワークにより発せられた同期情報を受信し、これに同期するための装置が提案される。これを達成するために、同期信号Ｈが、アンテナ１によって受信され、その後の受信装置１０によってベースバンド周波数に変換され、その後のベースバンド処理ユニット２０において、復号および評価される。周波数変換のために、ミキサ１２が、接続されたアンテナ１に続いて、受信装置１０内に配置されている。ミキサ１２の後に、変換された受信信号のバンド制限のためのローパスフィルタ１３と、変換された受信信号をデジタルの受信信号に変換するためのアナログ−デジタル変換器１４とが続く。ミキサ１２向けの変換信号Ｃは、位相ロックループ装置３０の一部である接続された電圧制御発振器７によって生成される。位相ロックループ装置３０は、ＰＬＬ分割器８、例えば分数Ｎ周波数分割器と、位相周波数比較器５と、ループフィルタ６とをさらに備える。
【００３２】
加えて、基準水晶発振器２が、未補正の基準周波数を有する基準発振器信号Ｂを生成する機能を果たし、基準発振器信号Ｂは、位相周波数比較器５に供給される位相比較周波数として使用される。位相ロックループ装置３０は、周波数分割信号Ｅの周波数を、安定状態が到達された際に、基準発振器信号Ｂの未補正の基準周波数と合流させる機能を果たす。
【００３３】
基準水晶発振器２は、周波数変更または周波数追跡それぞれのために、どのような制御回路も必要としない。ここで、必要とされる正確な基準周波数は、ｆｒｅｆで示され、その絶対的な精度は、それぞれの通信システムによって事前定義されている。対照的に、基準水晶発振器２の基準発振器信号Ｂの未補正の基準周波数は、正確な基準周波数ｆｒｅｆから、基準周波数誤差εだけずれる。
【００３４】
好適な実施形態によると、周波数変換ユニット９０が、水晶発振器２の出力に接続されている。周波数変換ユニット９０は、基準発振器信号Ｂの未補正の基準周波数を、周波数変換ユニット９０の出力信号Ｄの補正された周波数に変換する。この変換は、結果として生じる周波数変換因数（κ）により決定される。
【数１】
2008547345.tif 000003
ここで、ｆＤは、出力信号Ｄの補正された周波数を示し、ｆＢは、基準発振器信号Ｂの未補正の基準周波数を示す。以下、同様に、ｆ［インデックス信号名］である全ての符号は、信号の周波数を示すものとする。周波数変換ユニット９０は、結合乗算器９１と、結合分割器９２と、出力信号フィルタ９３との直列の組合せから成る。結合乗算器９１は、基準発振器信号Ｂを、変換された周波数信号Ｉに変換する。そして、結合分割器９２は、その後の出力信号フィルタ９３との組合せにおいて、変換された周波数信号Ｉを、周波数変換ユニット９０の出力信号Ｄに変換する。
【００３５】
出力信号フィルタ９３の機能は、結合分割器９２の出力信号のスペクトル組成を制限すること、および雑音帯域幅を制限することである。よって、周波数変換ユニット９０の出力信号Ｄのスペクトル純度が、拡張される。出力信号フィルタ９３のフィルタ特性は、バンドパスまたはローパス特性であってもよい。
【００３６】
ＰＬＬ分割器８の分割因数は、２つの論理分割比、公称分割比Ｎ．ｋおよび補正分割比（１−σ）の組合せである。特に、公称分割比Ｎ．ｋは、受信信号の移動体無線チャンネル周波数の、公称基準周波数に対する比から得ることができる。これに対して、補正分割比（１−σ）、特に周波数補正加数σ）を用いて、電圧制御発振器７のための必要な正確な周波数が得られる。周波数分割信号Ｅと変換信号Ｃの間の、この周波数関係は、次のように表すことができる。
【数２】
2008547345.tif 000004
【００３７】
最後にプログラムされたインデックス付き基準指示子周波数補正加数σ−１は、次のステップ向けの周波数補正加数σ＋１から区別するために、かつ両者を時間的な関係に置くために使用される。
【００３８】
加えて、結合乗算器９１の周波数乗算因数μは、次の式｛２｝に従い、独立変換因数ρによって補足された上述の補正分割比（１−σ）から成る。
【数３】
2008547345.tif 000005
【００３９】
結合分割器９２の周波数分割因数ζは、上述の独立変換因数ρから成り、因数ρも、結合乗算器９１のプログラミングの一部である。これは、次の式｛３｝によって表される。
【数４】
2008547345.tif 000006
【００４０】
分割比すなわち変換因数Ｎ．ｋ、（１−σ）、およびρは、プログラミングインターフェース１１によって設定され、プログラミングインターフェース１１は、制御接続Ｆを介してＰＬＬ分割器８に接続されて、公称分割比Ｎ．ｋをプログラムし、他の制御接続Ｇを介してＰＬＬ分割器８および結合乗算器９１に接続されて、周波数補正加数σをプログラムし、さらなる制御接続Ｋを介して結合乗算器９１および結合分割器９２に接続されて、独立変換因数ρをプログラムする。プログラミングインターフェース１１の設定手順は、ベースバンド処理ユニット２０内に配置された無線コントローラ１６によって制御される。
【００４１】
さらに、選択スイッチ３が、プログラミングインターフェース１１によって制御される。選択スイッチ３は、基準水晶発振器２の基準発振器信号Ｂまたは周波数変換ユニット９０の出力信号Ｄのいずれかを、ベースバンド処理ユニット２０に、特にベースバンド処理ユニット２０に設けられたベースバンド受信器４に接続する。
【００４２】
ベースバンド受信器４は、受信装置１０のアナログ−デジタル変換器１４から、デジタル受信データを受信して、後処理および復号を行なう。周波数オフセット計算器１５が、ベースバンド受信器４に接続され、ベースバンド受信器４では、最初にネットワークによって発せられた同期情報が復号される。周波数オフセット計算器１５は、公称分割比Ｎ．ｋの最後の設定に基づき、周波数オフセット情報Ａを計算する。
【００４３】
数学的に、周波数オフセット情報Ａは、同期情報Ｈの周波数ｆＨと、ベースバンド周波数の変換のためにミキサ１２に印加される変換信号Ｃの周波数ｆＣとの間の差に対応する。これは、次のように表すことができる。
Ａ＝ｆＣ−ｆＨ
ｆＣ＝（Ｎ．ｋ）＊（１−σ−１）＊（ｆｒｅｆ＋ε）
ｆＨ＝（Ｎ．ｋ）＊ｆｒｅｆ
【数５】
2008547345.tif 000007
【００４４】
電圧制御発振器７によって生成された変換信号Ｃを達成し、その正確な周波数に維持するために、ＰＬＬ分割器８の分割因数の周波数補正加数σが、得られた周波数オフセット情報Ａに基づき連続して追跡される。
【００４５】
この連続的に追跡された周波数補正加数σは、結合乗算器９１においても更新されるので、基準発振器信号Ｂの未補正の基準周波数が、例えば温度変化を原因としてドリフトした場合でも、生成された出力信号Ｄは、正確な基準周波数を持つ。
【００４６】
図２に示される状況は、装置への電源をスイッチオンした直後の状態に対応する。同期プロセスの最初に、その基準周波数誤差εを有する基準水晶発振器２の基準発振器信号Ｂの未補正の基準周波数が、選択スイッチ３を介してベースバンド処理ユニット２０に接続され、これにより、ベースバンド処理ユニット２０は、起動することができる。これは、ベースバンド処理ユニット２０の無線コントローラ１６が初期化される前には、周波数変換ユニット９０は出力信号Ｄを供給しないため、必要とされる。
【００４７】
その後、ＰＬＬ分割器８の公称分割比Ｎ．ｋは、制御接続Ｆを介して、チャンネル制御情報としてプログラムされ、ＰＬＬ分割器８および結合乗算器９１の周波数補正加数σは、制御接続Ｇを介してゼロにプログラムされ（すなわちσ＝０）、結合乗算器９１および結合分割器９２の独立変換因数ρは、その一定値にプログラムされる。これにより、位相ロックループ装置３０の安定状態において、信号Ｂ，ＤおよびＥの周波数は、全て、値ｆｒｅｆ＋εに等しくなる。
【００４８】
ミキサ１２での周波数変換に必要とされる変換信号Ｃは、基準発振器信号Ｂの未補正の基準周波数から得られ、基準発振器信号Ｂは、ブロック５，６，７および８から成る位相ロックループ装置３０を用いて、公称分割比Ｎ．ｋと、ＰＬＬ分割器８の補正分割比（１−σ）とによって乗算されており、一方で、最後にプログラムされた周波数補正加数σ−１は、ゼロに設定され、従って、補正分割比（１−σ−１）は１となる。よって、変換信号Ｃの周波数は、次のようになる。
ｆＣ＝（Ｎ．ｋ）＊（ｆｒｅｆ＋ε）
【００４９】
ベースバンド処理ユニット２０の周波数オフセット計算器１５で得られた周波数誤差情報Ａは、（Ｎ．ｋ）＊εとなる。これは、公称分割比（Ｎ．ｋ）によって乗算された基準水晶発振器２での基準周波数誤差εに対応する。
【００５０】
周波数乗算因数μ、特に独立変換因数ρに対する寄与因子は、周波数乗算因数μが結果として整数となるように、選択することができる。
【００５１】
あるいは、結果として生じる周波数変換因数κ、特に独立変換因数ρは、結果として生じる周波数変換因数κが整数となるように選択することができる。
【００５２】
一般的に、独立変換因数ρは、必ずしもプログラムする必要はない。独立変換因数ρは、ハードウェア組み込み（hardwired）とすることもできる。
【００５３】
原理的な機能性として、独立変換因数ρは、どのような有理数または無理数とすることもできる。例えば、独立変換因数ρを、「１」よりも著しく大きく選択して、周波数変換ユニット９０によって生成された雑音およびスパー（spur）に関する、出力信号の最良の性能を得ることができる。
【００５４】
好適な実施形態に係る装置の最終的な目標は、周波数変換ユニット９０の出力信号Ｄの補正された基準周波数、よってベースバンド処理ユニット２０に転送される周波数が、正確な基準周波数と完全に一致すること、すなわち、出力信号Ｄの周波数が、ｆｒｅｆとなることである。
【００５５】
さらに、ミキサ１２が、正確な公称変換周波数によって動作し、よって、変換信号Ｃの周波数が、ｆｒｅｆ＊（Ｎ．ｋ）となることが達成されるであろう。信号ＣおよびＢ＝Ｅは、ＰＬＬ分割器８の分割比（Ｎ．ｋ）＊（１−σ）によってリンクされることに鑑みると、変換信号Ｃの周波数は、（Ｎ．ｋ）＊（１−σ）＊（ｆｒｅｆ＋ε）となる。
【００５６】
これは、信号Ｃの同期が強制される場合に、次のような式をもたらす。
一般に、ｆＣ＝（Ｎ．ｋ）＊（１−σ）＊ｆＥ
同期の場合、ｆＣ＝ｆｒｅｆ＊（Ｎ．ｋ）
ｆｒｅｆ＊（Ｎ．ｋ）＝（Ｎ．ｋ）＊（１−σ）＊（ｆｒｅｆ＋ε）
ｆｒｅｆ＝（１−σ）＊（ｆｒｅｆ＋ε）
【数６】
2008547345.tif 000008
【００５７】
上述の式｛６｝および｛７｝では、出力信号Ｄの正確な基準周波数の生成および維持に必要とされる、最後にプログラムされた周波数補正加数σ−１から周波数誤差εへの計算、および周波数誤差εから次のステップの周波数補正加数σ＋１への計算が、公称分割比Ｎ．ｋに依存せず、よって、選択された移動体無線チャンネルに依存しない、という点が有利である。これは、移動体無線チャンネルが変化する間でさえも、周波数補正加数σを再プログラムすることなしに、同期を維持できることを意味する。
【００５８】
分割の全ての乗法的な組合せ、すなわち、ＰＬＬ分割器８および結合乗算器９１でのような乗算比は、論理的かつソフトウェアプログラムされた表現のみに関するものでもよいことに留意すべきである。これは、これらの構成要素が、１つの分数分割比を有する１つの分数Ｎ分割器（ブロック８）または乗算器（ブロック９１）として物理的に実現されてもよいことを意味する。
【００５９】
図３は、同期が到達された状況における、図２のブロック図を示している。これは、完全な装置が、出力信号Ｄの正確な基準周波数を生成することを意味し、この出力信号Ｄは、スイッチ３を介して、ベースバンド処理ユニット２０、および場合によっては、この正確な基準周波数を必要とするいくつかの他の構成要素、例えばＧＰＳユニットに供給される。また、変換信号Ｃも、その正確な周波数にある。
【００６０】
最終的な目標に関して上述したように、ベースバンド処理ユニット２０において、式｛５｝を用いて基準周波数誤差εを得ることができる。従って、周波数オフセット情報Ａは、式｛５｝を用いて処理され、これは、公称分割比Ｎ．ｋが、設定された無線チャンネルによって知られており、かつ最後にプログラムされた周波数補正加数σ−１が、最後のプログラミングから知られており、よって実際の周波数オフセット情報Ａが生じた条件に対して有効である、ということによる。ここで、σ−１は、初期状態において０か、または前の設定から知られているかのどちらかである。よって、ＰＬＬ分割器８の次のステップおよびその後のステップに対する周波数補正加数σ＋１は、式｛６｝に従いプログラムまたは設定することができる。
【００６１】
位相ロックループ装置３０が、その安定状態に達した後、変換信号Ｃの周波数は、ミキサ１２の正確な変換周波数に対応する値ｆｒｅｆ＊（Ｎ．ｋ）と、正確に一致する。変換信号Ｃの周波数が、２つの成分（Ｎ．ｋ）＊ｆｒｅｆおよび（Ｎ．ｋ）＊εを含むため、周波数オフセット情報Ａに対応する２つ目の成分は、よって、この段階でゼロ値に達し、すなわち、（Ｎ．ｋ）＊ε＝０となる。プログラミングインターフェース１１は、選択スイッチ３を制御して、周波数変換ユニット９０の出力信号Ｄを、ベースバンド処理ユニット２０に接続する。これは、正確な基準周波数ｆｒｅｆが、受信装置１０およびベースバンド処理ユニット２０において、基準発振器信号Ｂの未補正の基準周波数の基準周波数誤差εから独立して使用されることを意味する。
【００６２】
例えば、移動体端末内での温度変化により、基準周波数誤差εは、経時的に変化する。よって、動作中に、周波数オフセット計算器１５の周波数オフセット情報Ａは、一時的にゼロからずれる可能性がある。このずれに応じて、周波数補正加数σの再プログラミングが、ＰＬＬ分割器８および結合乗算器９１において行われて、周波数オフセット情報Ａをゼロに設定し、これは、任意の基準周波数誤差εを補償するための基準周波数追跡機能に対応する。
【００６３】
好適な実施形態の説明においては、ネットワークにより発せられ、移動体端末によって受信された同期情報の、相手局（例えば基地局）での周波数オフセットによるドップラー効果および周波数誤差によって生じ得る、どのような一時的変化も、未補正の基準周波数の変化から区別することはできず、基準周波数誤差εで表されるものとみなされる。
【００６４】
この装置の利点は、周波数補正加数が得られた後、位相ロックループ装置３０および受信ユニット５０によって構成されたＲＦセクションが、出力信号Ｄの正確な基準周波数の生成に対してもはやアクティブである必要がない、ということである。これは、周波数誤差εが著しく変化しない限り有効である。このことは、電流すなわち電力の節約に役立ち、よって、スタンバイ時間の増加に役立つ。
【００６５】
この装置のさらなる利点は、電圧制御発振器７を、周波数変化を出力信号Ｄに結合または伝達することなしに変調できることである。
【００６６】
図４は、図２に係る初期状態から図３に係る同期状態への変化すなわち移行手順に関する概略フロー図を示している。特に、図４は、移動体端末の動作の間に基準周波数が追跡される方法を示している。
【００６７】
ステップＳ１００において、移動体端末がスイッチオンされ、基準周波数同期が行われる。次に、ステップＳ１０１において、選択スイッチ３が、基準水晶発振器２の基準発振器信号Ｂを、ベースバンド処理ユニット２０に接続し、これをアクティブ化する。続いて、ステップＳ１０２において、最初に、ＰＬＬ分割器８が、公称分割比Ｎ．ｋに設定すなわちプログラムされ、０に等しい周波数補正加数（σ）を有する補正分割比（１−σ）が、ＰＬＬ分割器８および結合乗算器９１に設定され、独立変換因数ρが、結合乗算器９１および結合分割器９２に設定される。ステップＳ１０３において、選択スイッチ３がスイッチされ、ここで、周波数変換ユニット９０の出力信号Ｄを、ベースバンド処理ユニット２０に接続し、出力信号Ｄの周波数は、この時点で、基準水晶発振器２の基準発振器信号Ｂの未補正の基準周波数と一致している。ステップＳ１０４において、電圧制御発振器７は、ミキサ１２向けの変換信号Ｃを生成し、変換信号Ｃは、この初期の時点ではまだ誤差を有する。
【００６８】
ステップＳ１０５において、周波数誤差情報Ａが、周波数誤差計算器１５によって生成される。以下の決定ステップＳ１０６において、周波数オフセット情報Ａがゼロかどうかが調べられる。周波数オフセット情報Ａがゼロである場合、手順は、ステップＳ１１０にジャンプし、そこで、同期された動作状態が取られ、ステップＳ１１１で行われた決定に依存する条件による待ち時間が、開始される。詳細および以下のステップは、フロー図の他の分岐の説明で与えられる。
【００６９】
ステップＳ１０６において、周波数オフセット情報Ａが、ゼロに等しくないと決定された場合、ステップＳ１０７に進む。ステップＳ１０７に示されるように、基準発振器信号Ｂの未補正の基準周波数の基準周波数誤差εを、周波数オフセット計算器１５において式｛５｝を適用して得られた周波数オフセット情報Ａを評価することによって、得ることができる。
【００７０】
ステップＳ１０８において、次の同期ステップで必要とされる周波数補正加数σ＋１が、式｛６｝を用いて決定され、ＰＬＬ分割器８および結合乗算器９１において設定される。次いで、ステップＳ１０９において、電圧制御発振器７が、変換信号Ｃの周波数を、ミキサ１２の正確な変換周波数に変更し、周波数変換ユニット９０は、正確な基準周波数を有する出力信号Ｄを生成する。その結果、続くステップＳ１１０において、同期動作状態に入る。
【００７１】
続く決定ステップＳ１１１において、ＲＦセクション（位相ロックループ装置３０および受信ユニット５０）の動作が、次の待ち時間に対して必要かどうかが調べられる。必要である場合、待ち時間は、ステップＳ１１３において開始され、待ち時間の後に、手順は、ステップＳ１０５に戻る。
【００７２】
ステップＳ１１１において、ＲＦセクションの動作が必要でないと決定された場合、ステップＳ１１２にてＲＦセクションがスイッチオフされ、次のステップは、Ｓ１１３であり、このステップは、待ち時間を開始する。待ち時間が経過した後、ステップＳ１１４において、新たな同期が要求されるかどうかの決定が行なわれる。必要とされない場合、手順はステップＳ１１３に戻り、新たな待ちサイクルが開始される。新たな同期が求められる場合、ステップＳ１１５にてＲＦセクションがスイッチオンされ、手順はステップＳ１０５に戻る。
【００７３】
概して、本発明は、同調素子フィルタや減結合回路などの、基準水晶発振回路での周波数追跡用の物理的な個別のアナログ回路を、不要とすることができるという利点を提供し、これは、費用および空間の節約をもたらす。
【００７４】
その上、補正制御情報が生成された後、ＲＦセクションをスイッチオフできるという利点がある。
【００７５】
さらなる利点は、出力信号が、電圧制御発振器７から減結合されることである。よって、出力信号としての、出力信号Ｄの正確な基準周波数のスペクトルの質に対して、どのような影響を持つこともなく、電圧制御発振器７を変調することができる。
【００７６】
最後に、図２、図３および図４で示された上述の好適な実施形態は、周波数補正加数σが、設定された移動体無線周波数チャンネルから独立しており、受信器または送信器としての動作から独立している、という利点を提供する。
【００７７】
要約すると、同期情報または同期信号Ｈに対する出力信号Ｄの同期を提供するための装置および方法が説明された。ここで、同期は、位相ロックループ装置３０または直接デジタル合成装置などの信号生成手段をその正確な周波数へと制御する補正制御情報を、未補正の基準周波数を正しいすなわち正確な基準周波数に変換する周波数変換ユニット９０に結合することを提供することにより達成される。これにより、どのような周波数制御のための手段も持たない簡素な水晶発振器２によって供給される未補正の基準周波数を、無線通信装置において使用することができる。このことは、正確な基準周波数を有する出力信号Ｄを生成する、提案された装置および方法によって達成され、出力信号Ｄは、ベースバンド処理ユニット２０の内部で使用され、その上、外部デバイスに供給することもできる。さらに、本装置および方法により、変換信号Ｃを、その正確な周波数で生成し、変換信号Ｃは、受信装置１０において、特にミキサ１２で使用される。位相ロックループ装置３０および周波数変換ユニット９０の設定は、ユーザ装置がその基準周波数を、通信ネットワークによって発せられた受信された周波数補正情報に対して同期することを可能にする、所定のシーケンスで行うことができる。
【００７８】
本発明は、上述の好適な実施形態および概略化された実施形態に限定されず、例えば、端末デバイスまたは他のデバイスにて得られたクロック周波数、基準周波数または他の制御周波数が、ネットワークからの同期情報放送から得られ、またはこれに含まれ、あるいは他の通信媒体によって利用可能にされた比較周波数に対して同期される、スーパーヘテロダイン受信機などの、どのような受信および／または受信−送信装置においても適用できることに留意すべきである。位相ロックループ装置３０の代わりとして、例えば直接デジタル合成装置などの、他の信号生成手段を使用して変換信号Ｃを生成することもできる。ここで、また、先のステップにおいて、チャンネル制御情報を用いて、未補正の変換信号Ｃが生成される。後のステップにおいて、チャンネル制御情報を補正制御情報と共に用いて、正確な変換信号Ｃの生成が得られる。
【００７９】
同期誤差は、必ずしも、ベースバンド周波数に変換するためにミキサ１２に印加された、同期情報Ｈの周波数ｆＨと、変換信号Ｃの周波数ｆＣとの間の差から得る必要はない。代わりの選択肢として、同期は、同期情報Ｈの周波数ｆＨと出力信号Ｄの周波数ｆＤとの比較から得てもよい。
【００８０】
さらなる代わりの選択肢として、同期は、同期情報Ｈの周波数ｆＨと基準発振器信号Ｂの周波数ｆＢとの比較から得てもよい。
【００８１】
本発明を実施するための具体的な例は、移動体通信用グローバルシステム（ＧＳＭ：Global System for Mobile communication）、ユニバーサル移動体通信システム（ＵＭＴＳ：Universal Mobile Communications System）、符号分割多重アクセス（ＣＤＭＡ：Code Division Multiple Access）システム、ＩＥＥＥ８０２．１１、ＩＥＥＥ８０２．１５、ＩＥＥＥ８０２．１６に規定されたものなどのワイヤレスネットワーク、デジタル拡張コードレス電話（ＤＥＣＴ：Digital Enhanced Cordless Telephone）システム、Ｂｌｕｅｔｏｏｔｈシステム、および／または他の任意の無線通信規格で使用するための端末デバイスである。好適な実施形態は、よって、添付の特許請求の範囲内で変更可能である。
【図面の簡単な説明】
【００８２】
【図１】図１は、本発明に係る同期方式の概略ブロック図を示している。
【図２】図２は、装置をスイッチオンした直後の状況にある、好適な実施形態に係る同期機構を有する移動体端末の概略ブロック図を示している。
【図３】図３は、同期状態が達成された後の状況にある図２の移動体端末を示している。
【図４】図４は、図２に示される初期状態から図３に示される同期状態への移行手順に関するフロー図を示している。
【図１】
2008547345.tif 000009
【図２】
2008547345.tif 000010
【図３】
2008547345.tif 000011
【図４−１】
2008547345.tif 000012
【図４−２】
2008547345.tif 000013
【国際調査報告】
2008547345.tif 000014
2008547345.tif 000015